【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
被写体を撮像する撮像領域を有する撮像素子と、
前記撮像領域のうち複数の領域に複数の撮像条件を設定する設定部と、
前記撮像領域のうち、前記設定部により第１撮像条件に設定された第１領域で撮像された被写体の画像と、前記撮像領域のうち、前記設定部により前記第１撮像条件とは異なる第２撮像条件に設定された第２領域で撮像された被写体の画像と、を表示部に表示させる制御部と、を備える電子機器。
【請求項２】
前記制御部は、前記第１領域で撮像された被写体の画像と、前記第２領域で撮像された被写体の画像とを、前記撮像領域に設定する撮像条件を選択させるように前記表示部に表示させる請求項１に記載の電子機器。
【請求項３】
前記制御部は、選択された撮像条件に前記撮像領域が設定されるように前記設定部を制御する請求項２に記載の電子機器。
【請求項４】
前記制御部は、前記表示部に表示された、前記第１領域で撮像された被写体の画像と、前記表示部に表示された、前記第２領域で撮像された被写体の画像と、のうちから選択された画像により前記撮像領域の撮像条件を前記設定部に設定させる請求項２又は請求項３に記載の電子機器。
【請求項５】
前記制御部は、前記設定部により第１撮像条件に設定された複数の前記第１領域のうち、少なくとも１つの前記第１領域で撮像された被写体の画像と、前記設定部により第２撮像条件に設定された複数の前記第２領域のうち、少なくとも１つの前記第２領域で撮像された被写体の画像と、を前記表示部に表示させる請求項１から請求項４のいずれか一項に記載の電子機器。
【請求項６】
前記第１領域は、前記撮像領域において第１方向と前記第１方向とは異なる第２方向とに複数配置され、
前記第２領域は、前記撮像領域において前記第１方向と前記第２方向とに複数配置されている請求項１から請求項５のいずれか一項に記載の電子機器。
【請求項７】
前記第１領域は、前記撮像領域において前記第１方向に互いに離れて複数配置されている請求項６に記載の電子機器。
【請求項８】
前記第１領域は、前記撮像領域において前記第２方向に互いに離れて複数配置されている請求項６又は請求項７に記載の電子機器。
【請求項９】
前記第２領域は、前記撮像領域において前記第１方向に配置されている、複数の前記第１領域の間に配置されている請求項６から請求項８のいずれか一項に記載の電子機器。
【請求項１０】
前記第２領域は、前記撮像領域において前記第２方向に配置されている、複数の前記第１領域の間に配置されている請求項６から請求項９のいずれか一項に記載の電子機器。
【請求項１１】
前記第１領域と前記第２領域とは、前記撮像領域において前記第１方向に交互に配置されている請求項６から請求項１０のいずれか一項に記載の電子機器。
【請求項１２】
前記第１領域と前記第２領域とは、前記撮像領域において前記第２方向に交互に配置されている請求項６から請求項１１のいずれか一項に記載の電子機器。
【請求項１３】
前記制御部は、外部からの操作入力を受け付ける操作部を用いて前記撮像領域に設定する撮像条件を選択させる請求項１から請求項１２のいずれか一項に記載の電子機器。
【請求項１４】
前記制御部は、前記操作部としてタッチパネルを用いて前記撮像領域に設定する撮像条件を選択させる請求項１３に記載の電子機器。
【請求項１５】
前記制御部は、前記操作部として操作部材を用いて前記撮像領域に設定する撮像条件を選択させる請求項１３又は請求項１４に記載の電子機器。
【請求項１６】
前記撮像領域は、光を電荷に変換する光電変換部を複数有する請求項１から請求項１５のいずれか一項に記載の電子機器。
【請求項１７】
前記第１領域は、前記光電変換部を有し、
前記第２領域は、前記光電変換部を有する請求項１６に記載の電子機器。
【請求項１８】
前記第１領域は、前記光電変換部を複数有し、
前記第２領域は、前記光電変換部を複数有する請求項１６に記載の電子機器。
【請求項１９】
前記第１領域の有する前記光電変換部で変換された電荷により生成される信号を出力する第１信号線と、
前記第２領域の有する前記光電変換部で変換された電荷により生成される信号を出力する前記第１信号線とは異なる第２信号線と、
を備える請求項１７又は請求項１８に記載の電子機器。
【請求項２０】
前記設定部は、前記撮像領域の撮像条件として前記光電変換部の電荷蓄積時間を設定する請求項１６から請求項１９のいずれか一項に記載の電子機器。
【請求項２１】
前記制御部は、前記第１領域で撮像された被写体の画像と、前記第２領域で撮像された被写体の画像と、を並べて前記表示部に表示させる請求項１から請求項２０のいずれか一項に記載の電子機器。
【請求項２２】
前記制御部は、前記第１領域で撮像された被写体の画像と、前記第２領域で撮像された被写体の画像と、を切り替えて前記表示部に表示させる請求項１から請求項２０のいずれか一項に記載の電子機器。
【請求項２３】
前記制御部は、前記第１領域で撮像された被写体の画像と、前記第２領域で撮像された被写体の画像と、を合成した画像を前記表示部に表示させる請求項１から請求項２０のいずれか一項に記載の電子機器。
【請求項２４】
前記制御部は、前記表示部に表示された、前記第１領域で撮像された被写体の画像と、前記表示部に表示された、前記第２領域で撮像された被写体の画像とのうち、一方の画像が拡大又は縮小されたことにより、前記表示部に表示された、前記第１領域で撮像された被写体の画像と、前記表示部に表示された、前記第２領域で撮像された被写体の画像と、のうち、他方の画像を拡大又は縮小する請求項１から請求項２１のいずれか一項に記載の電子機器。
【請求項２５】
被写体を撮像する第１領域と、被写体を撮像する前記第１領域とは異なる第２領域と、を有する撮像素子と、
前記第１領域と前記第２領域とに複数の撮像条件を設定する設定部と、
前記設定部により第１撮像条件に設定された前記第１領域で撮像された被写体の画像と、前記設定部により前記第１撮像条件とは異なる第２撮像条件に設定された前記第２領域で撮像された被写体の画像と、を表示部に表示させる制御部と、を備える電子機器。
【請求項２６】
前記制御部は、前記第１領域で撮像された被写体の画像と、前記第２領域で撮像された被写体の画像と、を、前記第１領域と前記第２領域とのうち少なくとも一方の領域に設定する撮像条件を選択させるように前記表示部に表示させる請求項２５に記載の電子機器。
【請求項２７】
前記制御部は、選択された撮像条件に前記第１領域と前記第２領域とのうち少なくとも一方の領域が設定されるように前記設定部を制御する請求項２６に記載の電子機器。
【請求項２８】
前記制御部は、前記表示部に表示された、前記第１領域で撮像された被写体の画像と、前記表示部に表示された、前記第２領域で撮像された被写体の画像と、のうちから選択された画像により、前記第１領域と前記第２領域とのうち少なくとも一方の領域の撮像条件を前記設定部に設定させる請求項２６又は請求項２７に記載の電子機器。
【請求項２９】
前記撮像素子は、複数の前記第１領域と複数の第２領域とを有し、
前記制御部は、複数の前記第１領域のうち、少なくとも１つの前記第１領域で撮像された被写体の画像と、複数の前記第２領域のうち、少なくとも１つの前記第２領域で撮像された被写体の画像と、を前記表示部に表示させる請求項２５から請求項２８のいずれか一項に記載の電子機器。
【請求項３０】
前記第１領域は、前記撮像素子において第１方向と前記第１方向とは異なる第２方向とに複数配置され、
前記第２領域は、前記撮像素子において前記第１方向と前記第２方向とに複数配置されている請求項２５から請求項２９のいずれか一項に記載の電子機器。
【請求項３１】
前記第１領域は、前記撮像素子において前記第１方向に互いに離れて複数配置されている請求項３０に記載の電子機器。
【請求項３２】
前記第１領域は、前記撮像素子において前記第２方向に互いに離れて複数配置されている請求項３０又は請求項３１に記載の電子機器。
【請求項３３】
前記第２領域は、前記撮像素子において前記第１方向に配置されている、複数の前記第１領域の間に配置されている請求項３０から請求項３２のいずれか一項に記載の電子機器。
【請求項３４】
前記第２領域は、前記撮像素子において前記第２方向に配置されている、複数の前記第１領域の間に配置されている請求項３０から請求項３３のいずれか一項に記載の電子機器。
【請求項３５】
前記第１領域と前記第２領域とは、前記撮像素子において前記第１方向に交互に配置されている請求項３０から請求項３４のいずれか一項に記載の電子機器。
【請求項３６】
前記第１領域と前記第２領域とは、前記撮像素子において前記第２方向に交互に配置されている請求項３０から請求項３５のいずれか一項に記載の電子機器。
【請求項３７】
前記制御部は、外部からの操作入力を受け付ける操作部を用いて前記第１領域と前記第２領域とのうち、少なくとも一方の領域の撮像条件を選択させる請求項２５から請求項３６のいずれか一項に記載の電子機器。
【請求項３８】
前記制御部は、前記操作部としてタッチパネルを用いて前記第１領域と前記第２領域とのうち、少なくとも一方の領域の撮像条件を選択させる請求項３７に記載の電子機器。
【請求項３９】
前記制御部は、前記操作部として操作部材を用いて前記第１領域と前記第２領域とのうち、少なくとも一方の領域の撮像条件を選択させる請求項３７又は請求項３８に記載の電子機器。
【請求項４０】
前記第１領域は、光を電荷に変換する第１光電変換部を有し、
前記第２領域は、光を電荷に変換する第２光電変換部を有する請求項２５から請求項３９のいずれか一項に記載の電子機器。
【請求項４１】
前記第１領域は、前記第１光電変換部を複数有し、
前記第２領域は、前記第２光電変換部を複数有する請求項４０に記載の電子機器。
【請求項４２】
前記第１光電変換部で変換された電荷により生成される信号を出力する第１信号線と、
前記第２光電変換部で変換された電荷により生成される信号を出力する第２信号線と、を備える請求項４０又は請求項４１に記載の電子機器。
【請求項４３】
前記設定部は、前記第１領域の撮像条件として前記第１光電変換部の電荷蓄積時間を設定し、前記第２領域の撮像条件として前記第２光電変換部の電荷蓄積時間を設定する請求項４０から請求項４２のいずれか一項に記載の電子機器。
【請求項４４】
前記制御部は、前記第１領域で撮像された被写体の画像と、前記第２領域で撮像された被写体の画像と、を並べて前記表示部に表示させる請求項２５から請求項４３のいずれか一項に記載の電子機器。
【請求項４５】
前記制御部は、前記第１領域で撮像された被写体の画像と、前記第２領域で撮像された被写体の画像と、を切り替えて前記表示部に表示させる請求項２５から請求項４３のいずれか一項に記載の電子機器。
【請求項４６】
前記制御部は、前記第１領域で撮像された被写体の画像と、前記第２領域で撮像された被写体の画像と、を合成した画像を前記表示部に表示させる請求項２５から請求項４３のいずれか一項に記載の電子機器。
【請求項４７】
前記制御部は、前記表示部に表示された、前記第１領域で撮像された被写体の画像と、前記表示部に表示された、前記第２領域で撮像された被写体の画像と、のうち、一方の画像が拡大又は縮小されたことにより、前記表示部に表示された、前記第１領域で撮像された被写体の画像と、前記表示部に表示された、前記第２領域で撮像された被写体の画像と、のうち、他方の画像を拡大又は縮小する請求項２５から請求項４６のいずれか一項に記載の電子機器。
【請求項４８】
画像を表示する表示部と、
被写体を撮像する撮像素子に配置された撮像領域のうち第１領域で撮像された被写体の画像と、前記撮像領域のうち、前記第１領域の撮像条件とは異なる撮像条件の第２領域で撮像された被写体の画像と、を前記表示部に表示させる制御部と、を備える電子機器。
【請求項４９】
前記制御部は、前記第１領域で撮像された被写体の画像と、前記第２領域で撮像された被写体の画像と、を、前記第１領域と前記第２領域とのうち少なくとも一方の領域に設定する撮像条件を選択させるように前記表示部に表示させる請求項４８に記載の電子機器。
【請求項５０】
前記制御部は、選択された撮像条件に前記第１領域と前記第２領域とのうち少なくとも一方の領域が設定されるように前記撮像素子を制御する請求項４９に記載の電子機器。
【請求項５１】
前記制御部は、前記表示部に表示された、前記第１領域で撮像された被写体の画像と、前記表示部に表示された、前記第２領域で撮像された被写体の画像と、のうちから選択された画像により、前記第１領域と前記第２領域とのうち少なくとも一方の領域の撮像条件を設定させる請求項５０に記載の電子機器。
【請求項５２】
前記制御部は、複数の前記第１領域のうち、少なくとも１つの前記第１領域で撮像された被写体の画像と、複数の前記第２領域のうち、少なくとも１つの前記第２領域で撮像された被写体の画像と、を前記表示部に表示させる請求項４８から請求項５１のいずれか一項に記載の電子機器。
【請求項５３】
前記第１領域は、前記撮像領域において第１方向と前記第１方向とは異なる第２方向とに複数有し、
前記第２領域は、前記撮像領域において前記第１方向と前記第２方向とに複数有する請求項４８から請求項５２のいずれか一項に記載の電子機器。
【請求項５４】
前記第１領域は、前記撮像領域において前記第１方向に互いに離れて複数有する請求項５３に記載の電子機器。
【請求項５５】
前記第１領域は、前記撮像領域において前記第２方向に互いに離れて複数有する請求項５３又は請求項５４に記載の電子機器。
【請求項５６】
前記第２領域は、前記第１方向において複数の前記第１領域の間に有する請求項５３から請求項５５のいずれか一項に記載の電子機器。
【請求項５７】
前記第２領域は、前記撮像領域において前記第２方向に配置されている、複数の前記第１領域の間に配置されている請求項５３から請求項５６のいずれか一項に記載の電子機器。
【請求項５８】
前記第１領域と前記第２領域とは、前記撮像領域において前記第１方向に交互に配置されている請求項５３から請求項５７のいずれか一項に記載の電子機器。
【請求項５９】
前記第１領域と前記第２領域とは、前記撮像領域において前記第２方向に交互に配置されている請求項５３から請求項５８のいずれか一項に記載の電子機器。
【請求項６０】
前記制御部は、外部からの操作入力を受け付ける操作部を用いて前記第１領域と前記第２領域とのうち少なくとも一方の領域に設定する撮像条件を選択させる請求項４８から請求項５９のいずれか一項に記載の電子機器。
【請求項６１】
前記制御部は、前記操作部としてタッチパネルを用いて前記第１領域と前記第２領域とのうち少なくとも一方の領域に設定する撮像条件を選択させる請求項６０に記載の電子機器。
【請求項６２】
前記制御部は、前記操作部として操作部材を用いて前記第１領域と前記第２領域とのうち少なくとも一方の領域に設定する撮像条件を選択させる請求項６０又は請求項６１に記載の電子機器。
【請求項６３】
前記撮像領域は、光を電荷に変換する光電変換部を複数有し、
前記制御部は、前記第１領域と前記第２領域とのうち少なくとも一方の領域に設定される撮像条件として、前記光電変換部の電荷蓄積時間を制御する請求項４８から請求項６２のいずれか一項に記載の電子機器。
【請求項６４】
前記表示部は、前記第１領域で撮像された被写体の画像と、前記第２領域で撮像された被写体の画像と、を並べて表示する請求項４８から請求項６３のいずれか一項に記載の電子機器。
【請求項６５】
前記表示部は、前記第１領域で撮像された被写体の画像と、前記第２領域で撮像された被写体の画像と、を切り替えて表示する請求項４８から請求項６３のいずれか一項に記載の電子機器。
【請求項６６】
前記表示部は、前記第１領域で撮像された被写体の画像と、前記第２領域で撮像された被写体の画像と、を合成した画像を表示する請求項４８から請求項６３のいずれか一項に記載の電子機器。
【請求項６７】
前記表示部は、前記表示部に表示された、前記第１領域で撮像された被写体の画像と、前記表示部に表示された、前記第２領域で撮像された被写体の画像と、のうち一方の画像が拡大又は縮小されたことにより、前記表示部に表示された、前記第１領域で撮像された被写体の画像と、前記表示部に表示された、前記第２領域で撮像された被写体の画像と、うち他方の画像を拡大又は縮小する請求項４８から請求項６６のいずれか一項に記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００６
【補正方法】変更
【補正の内容】
【０００６】
本発明の態様によれば、被被写体を撮像する撮像領域を有する撮像素子と、撮像領域のうち複数の領域に複数の撮像条件を設定する設定部と、撮像領域のうち、設定部により第１撮像条件に設定された第１領域で撮像された被写体の画像と、撮像領域のうち、設定部により第１撮像条件とは異なる第２撮像条件に設定された第２領域で撮像された被写体の画像と、を表示部に表示させる制御部と、を備える電子機器が提供される。
本発明の態様によれば、被写体を撮像する第１領域と、被写体を撮像する第１領域とは異なる第２領域と、を有する撮像素子と、第１領域と第２領域とに複数の撮像条件を設定する設定部と、設定部により第１撮像条件に設定された第１領域で撮像された被写体の画像と、設定部により第１撮像条件とは異なる第２撮像条件に設定された第２領域で撮像された被写体の画像と、を表示部に表示させる制御部と、を備える電子機器が提供される。
本発明の態様によれば、画像を表示する表示部と、被写体を撮像する撮像素子に配置された撮像領域のうち第１領域で撮像された被写体の画像と、撮像領域のうち、第１領域の撮像条件とは異なる撮像条件の第２領域で撮像された被写体の画像と、を表示部に表示させる制御部と、を備える電子機器が提供される。
本発明の第１態様によれば、第１撮像条件で撮像を行う第１撮像素子と第１撮像条件とは異なる第２撮像条件で撮像を行う第２撮像素子とが複数配列され、第１撮像素子に入射した被写体像に応じて生成された第１画像データと第２撮像素子に入射した被写体像に応じて生成された第２画像データとを出力する撮像部と、第１画像データにより示される第１画像と第２画像データにより示される第２画像とを表示部に表示して第１画像データ及び第２画像データの記録態様を選択可能なように提示する制御部と、を備える電子機器が提供される。